(57)【要約】      （修正有）【課題】偏光板を有する眼鏡において、偏光部による色の変化を補償する粘着層を備える眼鏡を提供する。【解決手段】偏光を透過する偏光部２４と、偏光部２４の一方の面に設けられ、着色材料を含み、少なくとも偏光部２４による色の変化を補償する粘着層２２とを備える。例えば、粘着層２２は、Ｃ光源２度視野におけるＬ＊ａ＊ｂ＊表色系のｂ＊（ｃ）が負であることが好ましい。また、眼鏡のＣ光源２度視野における可視光線の透過率が２０％以上であることが好ましい。【選択図】図２
2015021995.tif 000002
【特許請求の範囲】
【請求項１】
偏光を透過する偏光部と、
前記偏光部の一方の面に設けられ、着色材を含み、少なくとも前記偏光部による色の変化を補償する粘着層と
を備える眼鏡。
【請求項２】
前記粘着層は、Ｃ光源２度視野におけるＬ＊ａ＊ｂ＊表色系のｂ＊（ｃ）が負である請求項１に記載の眼鏡。
【請求項３】
Ｃ光源２度視野における可視光線の透過率が２０％以上である請求項１または２に記載の眼鏡。
【請求項４】
前記偏光部が設けられている面とは反対側の前記粘着層の面に設けられ、前記偏光に位相差を生じさせる位相差部を更に備える請求項１から３のいずれか１項に記載の眼鏡。
【請求項５】
前記偏光部と前記粘着層との間に設けられ、前記偏光に位相差を生じさせる位相差部を更に備える請求項１から３のいずれか１項に記載の眼鏡。
【請求項６】
前記位相差部は、光に位相差を生じさせる位相差機能層を有する
請求項４または５に記載の眼鏡。
【請求項７】
前記位相差部は、前記位相差機能層を補強するベースフィルムを有する
請求項６に記載の眼鏡。
【請求項８】
前記ベースフィルムは、前記位相差機能層よりも前記偏光部側に配置されている
請求項７に記載の眼鏡。
【請求項９】
前記位相差機能層は、前記ベースフィルムよりも前記偏光部側に配置されている
請求項７に記載の眼鏡。
【請求項１０】
前記位相差機能層は、液晶を含み、
前記位相差部は、前記位相差機能層の前記液晶を配向させる配向膜を有する
請求項６から９のいずれか１項に記載の眼鏡。
【請求項１１】
前記偏光部は、右眼用の偏光部と、左眼用の偏光部とを含み、
前記右眼用の前記偏光部の透過軸と、前記左眼用の前記偏光部の透過軸は、互いに平行である
請求項４から１０のいずれか１項に記載の眼鏡。
【請求項１２】
前記位相差部は、右眼用の位相差部と、左眼用の位相差部とを含み、
前記右眼用の前記位相差部の光学軸と、前記左眼用の前記位相差部の光学軸は、鉛直方向を対称軸とする線対称である
請求項４から１１のいずれか１項に記載の眼鏡。
【請求項１３】
ｎ＝１、２、３のいずれかとして、
前記右眼用の前記位相差部の光学軸は、光の入射側から見て、鉛直方向から２２．５×ｎ°回転させた方向であって、
前記左眼用の前記位相差部の光学軸は、光の入射側から見て、鉛直方向から２２．５×ｎ°前記右眼用の光学軸と反対方向に回転させた方向である
請求項１２に記載の眼鏡。
【請求項１４】
前記位相差部は、右眼用の位相差部と、左眼用の位相差部とを含み、
前記右眼用の前記位相差部の光学軸と、前記左眼用の前記位相差部の光学軸は、互いに直交する
請求項４から１１のいずれか１項に記載の眼鏡。
【請求項１５】
前記粘着層は、前記眼鏡から出射される光をＣ光源２度視野におけるＬ＊ａ＊ｂ＊表色系のｂ＊（ｃ）を負とする
請求項１から１３のいずれか１項に記載の眼鏡。
【発明の詳細な説明】
【技術分野】
【０００１】
本発明は、眼鏡に関する。
【背景技術】
【０００２】
偏光板を有する眼鏡において、偏光板による色の変化を補償する眼鏡が知られている（例えば、特許文献１参照）。
［特許文献１］  特開２００８−１７０５５７号公報
【発明の概要】
【発明が解決しようとする課題】
【０００３】
上述の眼鏡では、板状のカラーフィルターが、色の変化を補償しているので、眼鏡の構造の自由度が低いといった課題がある。
【課題を解決するための手段】
【０００４】
本発明の第１の態様においては、偏光を透過する偏光部と、前記偏光部の一方の面に設けられ、着色材料を含み、少なくとも前記偏光部による色の変化を補償する粘着層とを備える眼鏡を提供する。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】実施形態に係る眼鏡１０の斜視図である。眼鏡１０の一例は、３Ｄ画像用である。
【図２】透過部１４の分解斜視図である。
【図３】透過部１４の断面図である。
【図４】Ｌ＊ａ＊ｂ＊表色系色度図を説明する図である。
【図５】眼鏡１０の動作を説明する図である。
【図６】透過部の積層構造を変更した形態を説明する図である。
【図７】透過部の積層構造を変更した形態を説明する図である。
【図８】透過部の積層構造を変更した形態を説明する図である。
【図９】透過部の積層構造を変更した形態を説明する図である。
【図１０】透過部の積層構造を変更した形態を説明する図である。
【図１１】透過部の積層構造を変更した形態を説明する図である。
【図１２】透過部の積層構造を変更した形態を説明する図である。
【図１３】透過部の位相差層２０の光学軸、及び、偏光板２４の透過軸を変更した形態を説明する図である。
【図１４】透過部の位相差層２０の光学軸、及び、偏光板２４の透過軸を変更した形態を説明する図である。
【図１５】透過部の位相差層２０の光学軸、及び、偏光板２４の透過軸を変更した形態を説明する図である。
【図１６】透過部の位相差層２０の光学軸、及び、偏光板２４の透過軸を変更した形態を説明する図である。
【図１７】透過部の位相差層２０の光学軸、及び、偏光板２４の透過軸を変更した形態を説明する図である。
【図１８】透過部の位相差層２０の光学軸、及び、偏光板２４の透過軸を変更した形態を説明する図である。
【図１９】粘着層２２のａ＊（ｃ）及びｂ＊（ｃ）を測定した実験を説明する図である。
【図２０】粘着層２２の構成を説明する表である。
【図２１】粘着層２２の実験結果を示す表である。
【図２２】実験で使用した透過部１４を説明する図である。
【図２３】実施例の透過部１４と比較例の透過部とを説明する表である。
【図２４】実施例の透過部１４と比較例の透過部とを説明するグラフである。
【図２５】３Ｄ画像の分光透過率を測定する実験の図である。
【図２６】分光透過率の実験結果を示すグラフである。
【図２７】分光透過率の実験において測定されたＴｖ（ｃ）、ｘ（ｃ）、ｙ（ｃ）の実験結果である。
【図２８】色度座標ｘ及び色度座標ｙの実験結果である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、実施形態に係る眼鏡１０の斜視図である。眼鏡１０の一例は、３Ｄ画像用である。図１に示すように、眼鏡１０は、フレーム１２と、一対の透過部１４とを備える。
【０００９】
フレーム１２の両端は、ユーザの耳にかけられる。フレーム１２の中央部は、一対の透過部１４を保持する。これにより、フレーム１２は、ユーザの両目の前方に透過部１４を保持する。
【００１０】
一対の透過部１４は、前方から入射する光を透過して、ユーザに提供する。例えば、透過部１４は、入射する偏光の偏光状態を変調して、特定の偏光状態の偏光を透過する。これにより、透過部１４は、特定の偏光状態の偏光のみを透過して、ユーザに提供できる。一方の透過部１４は右眼用であって、他方の透過部１４は左眼用である。一対の透過部１４は、互いに異なる偏光状態の偏光を透過する。例えば、右眼用の透過部１４は左回り円偏光を透過して、左眼用の透過部１４は右回り円偏光を透過する。尚、右回り及び左回りは、ユーザ側から見た回転方向である。
【００１１】
図２は、透過部１４の分解斜視図である。図２に示すように、透過部１４は、右眼用及び左眼用の位相差層２０と、右眼用及び左眼用の粘着層２２と、右眼用及び左眼用の偏光板２４とを有する。尚、偏光板２４が、最もユーザ側となる。従って、外部からの光は、位相差層２０、粘着層２２、偏光板２４の順に透過して、ユーザに達する。
【００１２】
位相差層２０は、透過部１４において最も光の入射側に配置されている。位相差層２０は、偏光板２４が設けられている面とは反対側の粘着層２２の面に設けられている。位相差層２０は、入射する偏光に位相差を生じさせる。位相差層２０は、例えば、円偏光を直線偏光に変調する１／４波長板としての機能を有する。位相差層２０は、右眼用と左眼用とで互いに異なる方向の光学軸を有する。光学軸は、遅相軸とする。尚、光学軸は、進相軸であってもよい。右眼用の位相差層２０の光学軸と、左眼用の位相差層２０の光学軸は、鉛直方向を対称軸とする線対称であってもよい。例えば、右眼用の位相差層２０の光学軸と、左眼用の位相差層２０の光学軸は、互いに直交する。右眼用の位相差層２０の光学軸は、鉛直方向から４５°（＝２２．５×２）左へ回転させた方向である。左眼用の位相差層２０の光学軸は、鉛直方向から４５°右へ回転させた方向、即ち、右眼用の位相差層２０の光学軸とは反対側に回転させた方向である。尚、回転方向は、入射側から見た方向である。
【００１３】
これにより、右眼用の位相差層２０と、左眼用の位相差層２０に同じ方向の円偏光が入射すると、一方の位相差層２０は鉛直方向を偏光方向とする直線偏光を出射して、他方の位相差層２０は水平方向を偏光方向とする直線偏光を出射する。換言すれば、一方の位相差層２０と他方の位相差層２０に互いに異なる円偏光、例えば、右回りの円偏光と左回りの円偏光が入射すると、両方の位相差層２０から同じ方向、例えば、水平方向を偏光方向とする直線偏光が出射される。尚、位相差層２０は、直線偏光の偏光方向を変調する１／２波長板としての機能を有してもよい。
【００１４】
粘着層２２は、位相差層２０と偏光板２４との間に配置されている。粘着層２２は、位相差層２０の出射側の面の略全面、及び、偏光板２４の入射側の面の略全面を覆うように設けられている。粘着層２２は、粘着主剤と、着色材とを含む。粘着主剤の一例は、日本カーバイド社製の樹脂固形分を３５％から４５％含むメタアクリル酸アルキルエステル系共重合体溶液、または、綜研化学社製の樹脂固形分を３０％から４０％含むアクリル酸エステル共重合物含有溶液である。粘着主剤は粘着性を有する。これにより、粘着層２２は、位相差層２０と偏光板２４とを粘着性によって互いに貼り付ける。
【００１５】
着色材として染料および顔料を用いることができる。染料の例は、フタロシアニン系、シアニン系等である。顔料は、無機顔料と有機顔料とを適用できる。無機顔料の例は、アルミ−コバルト酸化物、アルミ−亜鉛−コバルト酸化物等である。有機顔料の例は、フタロシアニン系、アントラキノン系等である。着色材には、吸収波長のピークが５３０ｎｍ〜６５０ｎｍである染料および顔料を用いることが好ましい。また、これらを複数組み合わせて色調補正に使用してもよい。さらに、染料および顔料を使用する際は、粘着層２２中に均一に分散することが好ましい。これにより透過光のムラを低減することができる。着色材としては、例えば、日本化薬社製のKayaset Blue A-2R（吸収波長のピーク５８７ｎｍ）、Kayaset Blue A-S、Kayaset Violet A-R等を挙げることができる。また、任意に複数組み合わせて使用してもよい。粘着主剤と着色材の比は、例えば１００：０．０５、または、１００：０．０６である。
【００１６】
粘着層２２は、更に、硬化剤を含んでもよい。硬化剤の一例は、日本カーバイド社製のポリウレタン樹脂、または、綜研化学社製のポリウレタン樹脂である。粘着主剤と硬化剤の比は、１００：２、または、１００：１である。
【００１７】
粘着層２２単体のＴｖ（ｃ）は、５０％以上であること、好ましくは７０％以上であることが好ましい。眼鏡１０のＴｖ（ｃ）は、２０％以上であることが好ましい。即ち、粘着層２２単体のＴｖ（ｃ）は、眼鏡１０のＴｖ（ｃ）が２０％以上となるようなＴｖ（ｃ）であることが好ましい。また粘着層２２単体のｂ＊（ｃ）は、負であることが好ましい。更に、粘着層２２が位相差層２０と偏光板２４との間に配置されている場合であって、透過部１４から出射する光のｂ＊（ｃ）、即ち、眼鏡１０から出射する光のｂ＊（ｃ）は負となることが好ましい。 尚、Ｔｖ（ｃ）及びｂ＊（ｃ）については後述する。
【００１８】
偏光板２４は、透過部１４において最も光の出射側、即ち、ユーザ側に配置されている。偏光板２４は、位相差層２０と略同じ形状を有する。偏光板２４は、粘着層２２を介して、位相差層２０の出射側の面の略全面を覆う。偏光板２４は、偏光を透過する。右眼用の偏光板２４の透過軸、及び、左眼用の偏光板２４の透過軸は、互いに平行である。右眼用及び左眼用の偏光板２４は、例えば、水平方向に平行な透過軸を有する。これにより、偏光板２４は、入射する光のうち、水平方向の振動成分を透過する。従って、偏光板２４は、水平方向を偏光方向とする直線偏光を出射する。
【００１９】
図３は、透過部１４の断面図である。
【００２０】
図３に示すように、位相差層２０は、ベースフィルム３０と、配向膜層３２と、位相差機能層３４とを有する。ベースフィルム３０は、位相差層２０において最も光の入射側に配置されている。ベースフィルム３０は、配向膜層３２を介して、位相差機能層３４を保持する。これにより、ベースフィルム３０は、位相差機能層３４を補強する。ベースフィルム３０は、ＴＡＣ（トリアセチルセルロース）、ＣＯＰ（シクロオレイフィンポリマー）、ＣＯＰの共重合体であるＣＯＣ（シクロオレフィンコポリマー）、ＰＣ（ポリカーボネート）等を適用できる。ＴＡＣフィルムは、富士写真フィルム社製のフジタックＴ８０ＳＺ及びＴＤ８０ＵＬ等を挙げることができる。ＣＯＰフィルムとして、日本ゼオン社製のゼオノアフィルムＺＦ１４を挙げることができる。シクロオレフィン系フィルムを使用する場合は、脆弱性の観点から高靭性タイプのフィルムを使用することが好ましい。
【００２１】
配向膜層３２は、ベースフィルム３０の一面、例えば、出射側の面の略全面に設けられている。配向膜層３２は、偏光による露光、または、ラビング処理されている。これにより、配向膜層３２は、位相差機能層３４の液晶の分子を光学軸に対応させて配向させることができる。
【００２２】
配向膜層３２は、例えば、公知の光配向性化合物を適用できる。光配向性化合物は、紫外線等の直線偏光が照射されると、その直線偏光の偏光方向に分子が規則的に配向される材料である。更に、光配向性化合物は、自己の上に形成された位相差機能層３４の分子を自己の配向に沿って並ばせる機能を有する。光配向性化合物の例として、光分解型、光二量化型、光異性化型等の化合物をあげることができる。
【００２３】
位相差機能層３４は、配向膜層３２の一面、例えば、出射側の面の略全面に設けられている。位相差機能層３４は、ベースフィルム３０よりも偏光板２４側に配置されている。位相差機能層３４は、液晶を含む。位相差機能層３４を構成する液晶の一例は、紫外線または加熱等によって硬化可能な液晶分子によって構成することができる。位相差機能層３４の分子は、配向膜層３２の分子の配向方向に沿って配向される。位相差機能層３４は、入射する光に位相差を生じさせる機能を有する。
【００２４】
偏光板２４は、入射側保護層３６と、偏光素子層３８と、出射側保護層４０とを有する。
【００２５】
入射側保護層３６は、粘着層２２を介して、位相差層２０の出射側の面に配置されている。また、入射側保護層３６は、偏光素子層３８の入射側の面に設けられている。これにより、入射側保護層３６は、偏光素子層３８の入射側の面を保護する。入射側保護層３６は、ＴＡＣ（トリアセチルセルロース）、ＣＯＰ（シクロオレイフィンポリマー）、ＣＯＣ（シクロオレフィンコポリマー）、及び、ＰＣ（ポリカーボネート）のいずれかによって構成することができる。
【００２６】
偏光素子層３８は、入射側保護層３６と出射側保護層４０との間に配置されている。偏光素子層３８は、水平方向の透過軸を有する。従って、偏光素子層３８は、入射する光のうち、水平方向の振動成分を透過する。偏光素子層３８は、ポリビニルアルコールで構成することができる。
【００２７】
出射側保護層４０は、偏光素子層３８の出射側の面に配置されている。これにより、出射側保護層４０は、偏光素子層３８の出射側の面を保護する。出射側保護層４０は、寸法安定性の面から入射側保護層３６と同じ材料からなることが好ましいが、材料のコストダウン等を目的とする場合、必ずしも同じ材料でなくともよい。
【００２８】
図４は、Ｌ＊ａ＊ｂ＊表色系色度図を説明する図である。ａ＊（ｃ）は、Ｃ光源２度視野におけるＬ＊ａ＊ｂ＊表色系の赤方向及び緑方向の色度を示す。尚、ａ＊（ｃ）は、赤方向が正の色度であって、緑方向が負の色度である。ｂ＊（ｃ）は、Ｃ光源２度視野におけるＬ＊ａ＊ｂ＊表色系の黄方向及び青方向の色度を示す。尚、ｂ＊（ｃ）は、黄方向が正の色度であって、青方向が負の色度である。Ｃ光源とは、ＣＩＥ（国際照明委員会）、または、ＪＩＳで規定されている光源のことである。２度視野は、ＣＩＥで規定されており、観察者が５０ｃｍの位置で直径１．７ｃｍの試料を観察した色のことである。上述したように粘着層２２のｂ＊（ｃ）は、負であることが好ましい。これにより、粘着層２２の青色の光の透過率は、緑色及び赤色の光の透過率に比べて高くなる。換言すれば、粘着層２２は、位相差層２０及び偏光板２４による透過率の高い緑色及び赤色の光を多く遮ることができる。この結果、粘着層２２は、位相差層２０及び偏光板２４による色の変化を補償する。
【００２９】
図５は、眼鏡１０の動作を説明する図である。まず、眼鏡１０を介してユーザに３Ｄ画像を提供する液晶表示装置５０について説明する。図５に示すように、液晶表示装置５０は、画像生成部５２と、偏光変調部５４とを備える。
【００３０】
画像生成部５２は、右眼用画像ＲＰを生成する右眼用画像生成部５８と、左眼用画像ＬＰを生成する左眼用画像生成部６０とを有する。右眼用画像生成部５８と、左眼用画像生成部６０は、鉛直方向において交互に配置されている。右眼用画像生成部５８及び左眼用画像生成部６０は、ともに、鉛直方向を偏光方向とする直線偏光によって画像を生成する。
【００３１】
偏光変調部５４は、画像生成部５２の出射側の面の略全面を覆うように形成されている。偏光変調部５４は、右眼用変調領域６２と、左眼用変調領域６４とを有する。右眼用変調領域６２及び左眼用変調領域６４は、それぞれ右眼用画像生成部５８及び左眼用画像生成部６０の前面に設けられている。従って、右眼用画像生成部５８が出射した右眼用画像ＲＰが、右眼用変調領域６２に入射する。左眼用画像生成部６０が出射した左眼用画像ＬＰが、左眼用変調領域６４に入射する。
【００３２】
右眼用変調領域６２及び左眼用変調領域６４は、１／４波長板として機能する。右眼用変調領域６２の光学軸と、左眼用変調領域６４の光学軸は互いに直交する。例えば、右眼用変調領域６２の光学軸は、鉛直方向から４５°右へ回転させた方向である。左眼用変調領域６４の光学軸は、鉛直方向から４５°左へ回転させた方向である。尚、回転方向は、ユーザから見た方向である。従って、右眼用変調領域６２及び左眼用変調領域６４は、入射する鉛直方向を偏光方向とする直線偏光を、互いに異なる偏光に変調して出射する。例えば、右眼用変調領域６２は左回りの円偏光を出射して、左眼用変調領域６４は右回りの円偏光を出射する。
【００３３】
右眼用変調領域６２及び左眼用変調領域６４から出射された円偏光は、眼鏡１０の右眼用及び左眼用の位相差層２０に入射する。ここで、右眼用及び左眼用の位相差層２０は、互いに直交する光学軸を有する。これにより、右眼用及び左眼用の位相差層２０は、同じ偏光状態の偏光が入射すると互いに異なる偏光を出射する。従って、右眼用及び左眼用の位相差層２０は、それぞれ、右眼用画像ＲＰを構成する入射した左回りの円偏光を水平方向及び鉛直方向を偏光方向とする直線偏光に変調して出射する。また、右眼用及び左眼用の位相差層２０は、それぞれ、左眼用画像ＬＰを構成する入射した右回りの円偏光を鉛直方向及び水平方向を偏光方向とする直線偏光に変調して出射する。
【００３４】
次に、位相差層２０が出射した直線偏光は、粘着層２２に入射する。粘着層２２は、入射した直線偏光の色の変化を補償する。ユーザの眼に入射する直線偏光は、位相差層２０及び偏光板２４による青色の光の減少が他の色に比べて大きい。ここで、粘着層２２は、緑色及び赤色の光を減衰させるので、位相差層２０及び偏光板２４による青色の減少の大きい光の色を補償する。粘着層２２は、入射した直線偏光の偏光状態を変調させることなく出射する。
【００３５】
粘着層２２から出射した直線偏光は、偏光板２４に入射する。ここで、右眼用画像生成部５８から出射された右眼用画像ＲＰを構成する偏光は、右眼用の偏光板２４には水平方向を偏光方向とする直線偏光となって入射する。従って、右眼用の偏光板２４は、右眼用画像ＲＰを構成する偏光を透過する。同様に、左眼用画像生成部６０から出射された左眼用画像ＬＰを構成する偏光は、左眼用の偏光板２４には水平方向を偏光方向とする直線偏光となって入射する。従って、左眼用の偏光板２４は、左眼用画像ＬＰを構成する偏光を透過する。
【００３６】
一方、右眼用画像生成部５８から出射された右眼用画像ＲＰを構成する偏光は、左眼用の偏光板２４には鉛直方向を偏光方向とする直線偏光となって入射する。従って、左眼用の偏光板２４は、右眼用画像ＲＰを構成する偏光を遮断する。同様に、左眼用画像生成部６０から出射された左眼用画像ＬＰを構成する偏光は、右眼用の偏光板２４には鉛直方向を偏光方向とする直線偏光となって入射する。従って、右眼用の偏光板２４は、左眼用画像ＬＰを構成する偏光を遮断する。
【００３７】
これにより、眼鏡１０は、ユーザの右眼には右眼用画像ＲＰを提供して、ユーザの左眼には左眼用画像ＬＰを提供することができる。この結果、ユーザは、３Ｄ画像を見ることができる。ここで、眼鏡１０は、粘着層２２によって、色を補償しているので、ユーザは色バランスの優れた３Ｄ画像を見ることができる。
【００３８】
上述したように、眼鏡１０は、粘着層２２によって色を補償している。従って、眼鏡１０は、偏光板２４及び位相差層２０の形状等の影響を受けることが少なく、眼鏡１０の構造の自由度を向上させることができる。
【００３９】
図６、図７、図８、図９、図１０、図１１、図１２は、透過部の積層構造を変更した形態を説明する図である。
【００４０】
図６に示す透過部１１４では、位相差層２０のうち、位相差機能層３４が最も入射側に配置されている。一方、ベースフィルム３０は、位相差機能層３４よりも偏光板２４側に配置されている。配向膜層３２は、ベースフィルム３０と位相差機能層３４との間に配置されている。従って、透過部１１４では、ベースフィルム３０が粘着層２２を介して偏光板２４に貼り付けられている。
【００４１】
図７に示す透過部２１４では、ベースフィルム及び配向膜層が省略されて、位相差機能層２３４が単層で位相差層２２０となる。位相差機能層２３４は、例えば、液晶、ＰＣ（ポリカーボネート）、ＣＯＰ（シクロオレフィンポリマー）のいずれかで構成できる。尚、位相差機能層２３４が、液晶によって構成される場合、液晶に配向方向を転写させることにより位相差機能層２３４を製造することができる。位相差機能層２３４が、ＰＣ及びＣＯＰによって構成される場合、ＰＣ及びＣＯＰを特定の方向に延伸させることによって位相差機能層２３４を製造することができる。透過部２１４では、位相差機能層２３４が粘着層２２を介して偏光板２４に貼り付けられている。図７に示す透過部２１４では、ベースフィルム及び配向膜層が省略されているので、光の透過率を向上させることができる。
【００４２】
図８に示す透過部３１４では、ベースフィルムが省略され、位相差層３２０が、配向膜層３２と、位相差機能層３４とを有する。また、透過部３１４では、入射側保護層が省略され、偏光板３２４が、偏光素子層３８と、出射側保護層４０とを有する。従って、透過部３１４では、位相差機能層３４が粘着層２２を介して偏光素子層３８に貼り付けられている。
【００４３】
図９に示す透過部４１４では、ベースフィルム及び配向膜層が省略され、位相差機能層２３４が単層で位相差層２２０となる。透過部４１４では、入射側保護層が省略されている。従って、位相差機能層２３４が粘着層２２を介して偏光板３２４に貼り付けられている。
【００４４】
図１０に示す透過部５１４では、ベースフィルムが省略され、位相差層５２０が、配向膜層３２と、配向膜層３２より入射側に配置された位相差機能層３４とを有する。透過部５１４では、粘着層２２が最も入射側に配置され、偏光板２４と粘着層２２との間に位相差層５２０が配置されている。従って、透過部５１４では、入射側から順に、粘着層２２、位相差層５２０、偏光板２４の順で配置されている。
【００４５】
図１１に示す透過部６１４では、ベースフィルムが省略され、位相差層６２０が、配向膜層３２と、配向膜層３２より出射側に配置された位相差機能層３４とを有する。透過部６１４は、保護層６３６を有する。保護層６３６は、最も入射側に設けられた粘着層２２と、位相差層６２０との間に設けられている。
【００４６】
図１２に示す透過部７１４では、ベースフィルム及び配向膜層が省略され、位相差機能層２３４が単層で位相差層２２０となる。また、透過部７１４では、入射側保護層が省略され、偏光板３２４が、偏光素子層３８と、出射側保護層４０とを有する。透過部７１４では、粘着層２２は、最も入射側に設けられている。
【００４７】
図１３、図１４、図１５、図１６、図１７、図１８は、透過部の位相差層２０の光学軸、及び、偏光板２４の透過軸を変更した形態を説明する図である。図１３から図１８の説明における回転方向は光の入射側から見た回転方向である。
【００４８】
図１３に示す透過部１０１４では、位相差層２０は、１／４波長板として機能する。右眼用の位相差層２０の光学軸は、鉛直方向から４５°右へ回転させた方向である。左眼用の位相差層２０の光学軸は、鉛直方向から４５°左へ回転させた方向である。偏光板２４の透過軸は、鉛直方向である。尚、液晶表示装置５０から出射して透過部１０１４に入射する光は、互いに回転方向の異なる２種類の円偏光である。
【００４９】
図１４に示す透過部１１１４では、位相差層２０は、１／４波長板として機能する。右眼用の位相差層２０の光学軸は、鉛直方向である。左眼用の位相差層２０の光学軸は、水平方向である。従って、右眼用の位相差層２０の光学軸、及び、左眼用の位相差層２０の光学軸は、互いに直交する。偏光板２４の透過軸は、鉛直方向から右へ４５°回転させた方向である。偏光板２４の透過軸は、鉛直方向から左へ４５°回転させた方向でもよい。尚、液晶表示装置５０から出射して透過部１１１４に入射する光は、互いに回転方向の異なる２種類の円偏光である。
【００５０】
図１５に示す透過部１２１４では、位相差層２０は、１／２波長板として機能する。右眼用の位相差層２０の光学軸は、鉛直方向から２２．５°（＝２２．５×１）左へ回転させた方向である。左眼用の位相差層２０の光学軸は、鉛直方向から２２．５°右へ回転させた方向である。偏光板２４の透過軸は、鉛直方向である。尚、液晶表示装置５０から出射して透過部１２１４に入射する光は、偏光方向が互いに直交する２種類の直線偏光である。
【００５１】
図１６に示す透過部１３１４では、位相差層２０は、１／２波長板として機能する。右眼用の位相差層２０の光学軸は、鉛直方向から６７．５°（＝２２．５×３）左へ回転させた方向である。左眼用の位相差層２０の光学軸は、鉛直方向から６７．５°右へ回転させた方向である。偏光板２４の透過軸は、鉛直方向である。尚、液晶表示装置５０から出射して透過部１３１４に入射する光は、偏光方向が互いに直交する２種類の直線偏光である。
【００５２】
図１７に示す透過部１４１４では、位相差層２０は、１／２波長板として機能する。右眼用の位相差層２０の光学軸は、鉛直方向から２２．５°左へ回転させた方向である。左眼用の位相差層２０の光学軸は、鉛直方向から２２．５°右へ回転させた方向である。偏光板２４の透過軸は、水平方向である。尚、液晶表示装置５０から出射して透過部１４１４に入射する光は、偏光方向が互いに直交する２種類の直線偏光である。
【００５３】
図１８に示す透過部１５１４では、位相差層２０は、１／２波長板として機能する。右眼用の位相差層２０の光学軸は、鉛直方向から６７．５°左へ回転させた方向である。左眼用の位相差層２０の光学軸は、鉛直方向から６７．５°右へ回転させた方向である。偏光板２４の透過軸は、水平方向である。尚、液晶表示装置５０から出射して透過部１５１４に入射する光は、偏光方向が互いに直交する２種類の直線偏光である。
【００５４】
次に、上述した色の変化を補償する効果を証明するための実験について説明する。
【００５５】
まず、実験に用いた粘着層２２について説明する。図１９は、粘着層２２のａ＊（ｃ）及びｂ＊（ｃ）を測定した実験を説明する図である。図２０は、粘着層２２の構成を説明する表である。図２１は、粘着層２２の実験結果を示す表である。
【００５６】
粘着層２２のａ＊（ｃ）及びｂ＊（ｃ）の測定では、図１９に示す試料９０を用いた。試料９０は、ガラス板９２と、粘着層２２と、樹脂フィルム９４とを有する。ガラス板９２は、松浪硝子工業株式会社製のＳ９１１２を用いた。樹脂フィルム９４は、富士フイルム株式会社製のＴＡＣフィルムのフジタック Ｔ８０ＳＺを用いた。粘着層２２は、ガラス板９２及び樹脂フィルム９４の間に配置した。光源からの光は、樹脂フィルム９４側から入射させた。粘着層２２は、図２０に示す粘着層Ａ及び粘着層Ｂのそれぞれを用いてａ＊（ｃ）及びｂ＊（ｃ）を測定した。
【００５７】
測定機器は、株式会社日立ハイテクノロジーズのＵ−４１００を使用した。光源は、６０φｍｍの積分球を使用した。数値の処理は、Ｕ−４１００に付属の硝子特性測定ソフトを使用した。
【００５８】
測定条件の設定は次の通りである。
開始波長      ７８０ｎｍ
終了波長      ２００ｎｍ
スキャンスピード    ３００ｎｍ／分
ベースライン        Ｕｓｅｒ１
光源          ＷＩランプ（タングステンランプ）、Ｄ２ランプ（重水素ランプ）
アルミ板反射補正    １．０００００
測定モード    ％Ｔ
【００５９】
光度計条件の設定は次の通りである。
可視域スリット幅    ２ｎｍ
光源切替波長        ３５０ｎｍ
Ｐｂｓ感度          １
検知機切替波長      ８００ｎｍ
【００６０】
計算条件の設定は次の通りである。
計算波長      ３８０ｎｍから７８０ｎｍ
計算間隔      ５ｎｍ
計算項目      ａ＊（ｃ）、ｂ＊（ｃ）
【００６１】
上述した条件の下で、まず、測定機器のホルダーに試料９０がない状態で、ベースライン、即ち、基準値の測定を行った。その後、試料９０を測定機器のホルダーに設置した状態で測定した。粘着層２２の実験結果は、図２１に示す通りである。粘着層Ａ及び粘着層Ｂは、ともにｂ＊（ｃ）が負であることがわかる。
【００６２】
次に、透過部１４の測定実験の試料について説明する。図２２は、実験で使用した透過部１４を説明する図である。実験では、図２２の左に示す状態の実施例の透過部１４及び比較例の透過部で各値を計測した後、ユーザ側から見て右方向に９０°各透過部を回転させて、図２２の右に示す状態で各値を計測して、両計測の平均値から各値を求めた。実施例及び比較例の位相差層２０の光学軸の向き及び偏光板２４の透過軸の向きは、図２の右眼用と同じである。実施例と比較例の構成は、粘着層が異なる以外同じである。具体的には、実施例の粘着層は着色材を含み、比較例の粘着層は着色材を含まない。尚、図２２の左に示す状態において、透過部１４の水平方向の長さは５０ｍｍ、透過部１４の鉛直方向の長さは４０ｍｍである。従って、図２２の右に示す状態では、透過部１４の水平方向の長さは４０ｍｍ、透過部１４の鉛直方向の長さは５０ｍｍである。
【００６３】
次に、図２２に示す透過部１４のＴｖ（ｃ）、Ｌ＊（ｃ）、ａ＊（ｃ）、ｂ＊（ｃ）、ｘ（ｃ）、ｙ（ｃ）を計測した実験方法について説明する。Ｔｖ（ｃ）は、Ｃ光源２度視野における可視光線の透過率を示す。尚、可視光線は、３８０ｎｍから７８０ｎｍの波長の光とする。Ｌ＊（ｃ）は、Ｃ光源２度視野におけるＬ＊ａ＊ｂ＊表色系の明度を示す。ｘ（ｃ）は、Ｃ光源２度視野における色度座標ｘを示す。ｙ（ｃ）は、Ｃ光源２度視野における色度座標ｙを示す。
【００６４】
測定機器は、株式会社日立ハイテクノロジーズのＵ−４１００を使用した。計算項目は次の通りである。計算項目以外の条件は、粘着層２２の測定の条件と同じである。
計算項目      Ｔｖ（ｃ）、Ｌ＊（ｃ）、ａ＊（ｃ）、ｂ＊（ｃ）、ｘ（ｃ）、ｙ（ｃ）
【００６５】
上述した条件の下で、まず、測定機器のホルダーに透過部の試料がない状態で、ベースライン、即ち、基準値の測定を行った。その後、実施例１から４の透過部１４、及び、比較例１から４の透過部を測定機器のホルダーに設置した状態で測定した。
【００６６】
ここで、今回使用したＷＩランプ及びＤ２ランプは、無偏光の光源である。しかしながら、測定機器Ｕ−４１００に設けられている光学素子は、偏光特性を有する。従って、ＷＩランプ及びＤ２ランプから出射された光は、測定機器内で分光された後、偏光を含む光となって試料に達する。試料に達する光の偏光状態は、波長依存性がある。ここで、試料に達する光は、略無偏光となる波長領域と、略偏光となる波長領域とを含む。この問題を解消するために、図２２の左に示す状態と、左に示す状態から右回りに９０°回転させた右に示す状態とで測定機器のホルダーに設置して、得られた数値の平均から上記計算項目を算出した。
【００６７】
図２３は、実施例の透過部１４と比較例の透過部とを説明する表である。図２４は、実施例の透過部１４と比較例の透過部とを説明するグラフである。図２３における実施例１と、図２４における実施例１は、同じ透過部の実験結果である。その他の実施例２から４、比較例１から４についても同様である。
【００６８】
図２３及び図２４に示すように、実施例１から４のｂ＊（ｃ）は負である。これにより、粘着層Ａは、実施例１から４の透過部１４のｂ＊（ｃ）は負にしていることがわかる。この結果、実施例１から４の透過部１４は、３Ｄの液晶表示装置から出射される黄色がかった画像の色バランスを向上できることがわかる。比較例１から４のｂ＊（ｃ）は正である。また、実施例１から４のａ＊（ｃ）は正である。比較例１から４のａ＊（ｃ）は負である。
【００６９】
実施例１から４における粘着層２２の構成は図２０に示す粘着層Ａの通りである。比較例１から４における粘着層２２は、粘着層Ａから着色材を省略した。尚、粘着層Ｂは、後述する分光透過率を測定する実験で使用した。
【００７０】
図２５は、３Ｄ画像の分光透過率を測定する実験の図である。図２５に示すように、分光透過率の測定では、光源と透過部１４との間に、偏光板８０及び位相差板８２を配置した。位相差板８２は、１／４波長板を使用した。位相差板８２は、偏光板８０よりも透過部１４側に配置した。偏光板８０及び位相差板８２を配置した以外の分光透過率の実験の条件は、上述した実験の条件と同じである。
【００７１】
図２６は、分光透過率の実験結果を示すグラフである。図２６に示す実施例１及び比較例１は、上述した実施例１及び比較例１と同じである。実施例５は、粘着層２２を粘着層Ｂとした以外は実施例１と同様である。図２６に示すように、実施例１及び実施例５は、青色の波長域の光の透過率の低減を抑制しつつ、赤色及び緑色の波長域の透過率を調整できることがわかる。一方、比較例１は、赤色及び緑色の波長域の透過率が青色の波長域の透過率よりも高いので、黄色の強い画像となることがわかる。
【００７２】
図２７は、分光透過率の実験において測定されたＴｖ（ｃ）、ｘ（ｃ）、ｙ（ｃ）の実験結果である。図２７に示すように、実施例１、５における色度座標ｘ及び色度座標ｙは、比較例１における色度座標ｘ及び色度座標ｙよりも低いことがわかる。ここで、実施例１、５における色度座標ｘ及び色度座標ｙは、比較例１に比べて、０．０１から０．０２程度低いだけであるが、十分に色の変化を補償できることが発明者の観察によってわかっている。
【００７３】
図２８は、色度座標ｘ及び色度座標ｙの実験結果である。図２８における横軸及び縦軸は、ｘｙ色度図によるｘ（ｃ）及びｙ（ｃ）を示す。実施例１から４及び比較例１から４は、図２４における実施例１から４及び比較例１から４と同じである。実施例１から４及び比較例１から４の色度座標ｘ及び色度座標ｙは、図２６に示す実験と同様に測定した。図２８に示す白色光は、ＣＩＥ表色系における、ＨＤＴＶ用信号の基準白色のｘｙ色度である。
【００７４】
図２８に示すように、実施例１から４は、比較例１から４に比べて、白色光に近いことがわかる。これにより、実施例１から４は、十分に色を補償できることがわかる。
【００７５】
上述した各実施形態の構成における形状、配置、数値等は適宜変更してよい。また、各実施形態は、適宜組み合わせてもよい。
【００７６】
例えば、上述した実施形態では３Ｄ画像の観察用の眼鏡の実施形態を説明したが、眼鏡は３Ｄ観察用に限られない。眼鏡は、釣り用などの偏光眼鏡に適用してもよい。この場合、位相差層は省略してよい。また、位相差層を省略した場合、粘着層は、少なくとも偏光板による色の変化を補償すればよい。
【００７７】
上述した各実施形態において、最も外側の面に、表面硬度を付与するハードコート層、反射防止層を設けてもよい。
【００７８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７９】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００８０】
１０  眼鏡
１２  フレーム
１４  透過部
２０  位相差層
２２  粘着層
２４  偏光板
３０  ベースフィルム
３２  配向膜層
３４  位相差機能層
３６  入射側保護層
３８  偏光素子層
４０  出射側保護層
５０  液晶表示装置
５２  画像生成部
５４  偏光変調部
５８  右眼用画像生成部
６０  左眼用画像生成部
６２  右眼用変調領域
６４  左眼用変調領域
８０  偏光板
８２  位相差板
９０  試料
９２  ガラス板
９４  樹脂フィルム
１１４  透過部
２１４  透過部
２２０  位相差層
２３４  位相差機能層
３１４  透過部
３２０  位相差層
３２４  偏光板
４１４  透過部
５１４  透過部
５２０  位相差層
６１４  透過部
６２０  位相差層
６３６  保護層
７１４  透過部
１０１４  透過部
１１１４  透過部
１２１４  透過部
１３１４  透過部
１４１４  透過部
１５１４  透過部
【図１】
2015021995.tif 000003
【図２】
2015021995.tif 000004
【図３】
2015021995.tif 000005
【図４】
2015021995.tif 000006
【図５】
2015021995.tif 000007
【図６】
2015021995.tif 000008
【図７】
2015021995.tif 000009
【図８】
2015021995.tif 000010
【図９】
2015021995.tif 000011
【図１０】
2015021995.tif 000012
【図１１】
2015021995.tif 000013
【図１２】
2015021995.tif 000014
【図１３】
2015021995.tif 000015
【図１４】
2015021995.tif 000016
【図１５】
2015021995.tif 000017
【図１６】
2015021995.tif 000018
【図１７】
2015021995.tif 000019
【図１８】
2015021995.tif 000020
【図１９】
2015021995.tif 000021
【図２０】
2015021995.tif 000022
【図２１】
2015021995.tif 000023
【図２２】
2015021995.tif 000024
【図２３】
2015021995.tif 000025
【図２４】
2015021995.tif 000026
【図２５】
2015021995.tif 000027
【図２６】
2015021995.tif 000028
【図２７】
2015021995.tif 000029
【図２８】
2015021995.tif 000030